(57)【要約】【課題】  コスト高になったり本体が大型化することのない簡便な構成により、ヒートシンクの放熱効果を向上させるようにした空気調和機の室外機を提供する。【解決手段】  熱交換器室７側に設けられたヒートシンク９が近接する外胴１４（前面パネル１４ｂ）に、前記熱交換器室７に外気を導入する導入部１５を設け、同導入部１５がベルマウス１１の外側であって、吐出桟１２同士の間に設けられた導入口１６からなり、同導入口１６にはガイド部１７を併設した。【選択図】  図２
2008134008.tif 000002
【特許請求の範囲】
【請求項１】
底板上に立設した仕切板により圧縮機が設けられた圧縮機室と熱交換器および送風ファンが設けられた熱交換器室とに区画され、前記仕切板の上部に前記圧縮機室および前記熱交換器室に跨がるようにヒートシンクを備えた電装品箱が配置され、同ヒートシンクは前記熱交換器室側に取付けられ、ベルマウスを有する吐出グリルと吐出桟とを備えた外胴が被着されてなる空気調和機の室外機において、
前記ヒートシンクが近接する前記外胴に、前記熱交換器室に外気を導入する導入部を設けてなることを特徴とする空気調和機の室外機。
【請求項２】
前記導入部が、前記ベルマウスの外側であって前記吐出桟同士の間に設けられた導入口からなり、同導入口にガイド部を併設してなることを特徴とする請求項１に記載の空気調和機の室外機。
【発明の詳細な説明】
【技術分野】
【０００１】
本発明は、空気調和機の室外機に係わり、より詳細には、ヒートシンクの放熱効果を向上させるようにした構造に関する。
【背景技術】
【０００２】
従来の空気調和機の室外機は、冷房運転時など熱交換室を流通する空気の温度が上がっても、ヒートシンクの放熱効率を確保して、電気部品箱内の電気部品に対する熱的悪影響のおそれがないものとして、
図６乃至図８に示すように、室外機本体１’内を仕切板３’で仕切り、内部の一方空間は室外熱交換器６’および送風機８’などを配置する熱交換室４’とし、他方空間は圧縮機１２’および冷媒配管類などを配置する機械室５’とし、仕切板３’から機械室５’と熱交換室４に跨がる状態で電気部品箱１４’の前面部に沿って冷却用ダクト１６’が設けられ、送風作用にともなって機械室５’側の開口部１６ａ’から空気を導入案内し、ヒートシンク１５’の対向側の開口部１６ｂ’から導出案内する構成でなるものが開示されている（例えば、特許文献１参照。）。
【０００３】
しかしながら、上述した構成でなる空気調和機の室外機は、ヒートシンク１５’の放熱効率を確保するため、仕切板３’から機械室５’と熱交換室４’に跨がる状態で電気部品箱１４’の前面部に沿って冷却用ダクト１６’を設ける必要があるため、この冷却用ダクト１６’の製作コストが生じてしまうことになり、また、この冷却用ダクト１６’の組付工数が発生したり、組み付けるためのスペースを確保する必要が生じることで室外機本体１’を小型化するのが困難になってしまう、などの問題点を有していた。
【特許文献１】特開２００３−１３９３５４号公報
【発明の開示】
【発明が解決しようとする課題】
【０００４】
そこで、本発明は上述した課題を解決するためになされたものであって、その目的は、コスト高になったり本体が大型化することのない簡便な構成により、ヒートシンクの放熱効果を向上させるようにした空気調和機の室外機を提供することにある。
【課題を解決するための手段】
【０００５】
上述した目的を達成するため、本発明は以下に示す特徴を備えている。
【０００６】
底板上に立設した仕切板により圧縮機が設けられた圧縮機室と熱交換器および送風ファンが設けられた熱交換器室とに区画され、前記仕切板の上部に前記圧縮機室および前記熱交換器室に跨がるようにヒートシンクを備えた電装品箱が配置され、同ヒートシンクは前記熱交換器室側に取付けられ、ベルマウスを有する吐出グリルと吐出桟とを備えた外胴が被着されてなる空気調和機の室外機において、
前記ヒートシンクが近接する前記外胴に、前記熱交換器室に外気を導入する導入部を設けてなることを特徴としている。
【０００７】
また、前記導入部が、前記ベルマウスの外側であって前記吐出桟同士の間に設けられた導入口からなり、同導入口にガイド部を併設してなることを特徴としている。
【発明の効果】
【０００８】
本発明によれば、仕切板と前記ベルマウスとの間であって、ヒートシンクが近接する外胴に、熱交換器室に外気を導入する導入口を設けることにより、コスト高になったり本体が大型化することのない簡便な構成により、電装品箱の熱交換器室側に取付けられヒートシンクの放熱効果を向上させるようにした空気調和機の室外機となる。
【発明を実施するための最良の形態】
【０００９】
次に、本発明の実施形態について図面を参照しながら説明する。
【００１０】
図１は本発明による空気調和機の室外機の分解斜視図であり、図２は本発明による空気調和機の室外機の実施例１の第一例を示す説明図で、（Ａ）は横断面図、（Ｂ）は（Ａ）で示すＡ−Ａ断面図であり、図３は本発明による空気調和機の室外機の実施例１の第二例を示すＡ−Ａ断面図であり、図４は本発明による空気調和機の室外機の実施例２を示す要部断面図であり、図５は本発明による空気調和機の室外機の実施例３を示す要部断面図である。
【００１１】
本発明に係る空気調和機の室外機は、図１および図２（Ａ）に示すように、底板１上に立設した仕切板２により、圧縮機３が設けられた圧縮機室４と熱交換器５および送風ファン６が設けられた熱交換器室７とに区画されている。
【００１２】
前記仕切板２の上部には、ヒートシンク９を備えた電装品箱８が前記圧縮機室４および前記熱交換器室７に跨がるように配置され、同ヒートシンク９は前記熱交換器室７側に取付けられ、前記底板１には、前記熱交換器５を臨ませた吸込部１０を本体背面側に備え、ベルマウス１１を有する吐出グリル１３と吐出桟１２とを備えた外胴１４が被着されている。
【００１３】
なお、前記ヒートシンク９は、前記熱交換器室７を臨ませるようにした構成にしてもよい。
【００１４】
前記外胴１４は、両側面部および背面部からなり前記吸込部１０を備えた背面パネル１４ａと、前記吐出桟１２および前記吐出グリル１３を備えた前面パネル１４ｂと、上面パネル１４ｃとで構成されており、前記吸込部１０から吸い込まれた空気は、前記熱交換器７によって熱交換されたのち、前記ヒートシンク９に当たることで同ヒートシンク９の放熱を促進しながら、前記送風ファン６により前記吐出グリル１３から吐き出されるようになっている。
【実施例１】
【００１５】
上述した基本構成において、前記ヒートシンク９の放熱を更に効果的に促進するため、実施例１の第一例として図２（Ａ）および図２（Ｂ）に示すように、前記仕切板２と前記ベルマウス１１との間であって、前記ヒートシンク９に近接する前記前面パネル１４ｂには、前記熱交換器室７に外気を導入するための導入部１５が設けられた構成になっている。
【００１６】
これにより、図２（Ａ）の矢印ａに示すように、前記吸込部１０から導入された外気の一部が前記ヒートシンク９に当たったのち、前記送風ファン６により前記吐出グリル１３から外部に吐き出される一方、矢印ｂに示すように、前記導入部１５から導入された外気が、前記仕切板２および前記ベルマウス１１の間に位置する前記ヒートシンク９に当たったのち、前記送風ファン６により前記吐出グリル１３から外部に吐き出されるようになっている。
【００１７】
したがって、前記ヒートシンク９は、前記吸込部１０から吸い込まれた外気の一部が当たるとともに、前記導入部１５から導入された外気が当たることになって効果的な放熱が可能になる。
【００１８】
また、上述した背景技術のように、仕切板３’から機械室５’と熱交換室４に跨がる状態で電気部品箱１４’の前面部に沿って冷却用ダクト１６’を設ける必要がなくなることから、この冷却用ダクト１６’の製作コストや組付工数が生じなくなり、また、同冷却用ダクト１６’を組み付けるためのスペースを確保する必要もなくなる。
【００１９】
前記導入部１５は、図２（Ｂ）に示すように、前記前面パネル１４ｂに設けられた前記吐出桟１２同士の間であって、上述したように、前記仕切板２と前記ベルマウス１１との間に設けられた導入口１６からなる構成になっている。
【００２０】
前記導入口１６の背面下部には、同導入口１６よりも上位に設けられ、外気を前記ヒートシンク９に向けて効率よく導くため、先端を上方に傾斜させたガイド部１７が併設された構成になっている。
【００２１】
これにより、図２（Ｂ）に示す矢印ｂのように、前記導入口１６から導入された外気は、前記ガイド部１７により前記ヒートシンク９に向けて効率よく導かれるようになって、同ヒートシンク９を効果的に放熱できるようになり、また、前記導入口１６から内部が見えてしまわないように、前記ガイド部１７によって視線を遮れるようになる。
【００２２】
または、実施例１の第二例として図３に示すように、前記吐出桟１２の一部が前記ガイド部１７となるように形成してもよく、これによって、図２（Ｂ）に基づいて上述した実施例１の第一例の場合と同様に、前記導入口１６から導入される外気は、前記ガイド部１７により前記ヒートシンク９に向けて効率よく導かれるようになって、同ヒートシンク９を効果的に放熱できるようになり、また、前記導入口１６から内部が見えてしまわないように視線を遮れるようになる。
【実施例２】
【００２３】
また、実施例２として図４に示すように、前記ヒートシンク９が前記導入口１６よりも下位に設けられた場合には、前記導入口１６の背面上部に、前記ガイド部１７の先端を下方に傾斜させるように突設した構成にしてもよい。
【００２４】
これにより、図４に示す矢印ｂの示すように、前記ガイド部１７によって前記導入口１６から導入された外気が前記ヒートシンク９に向けて効率よく導かれるようになって、同ヒートシンク９を効果的に放熱できるようになり、また、前記導入口１６から内部が見えてしまわないように、前記ガイド部１７によって視線を遮れるようになる。
【００２５】
または、図示はしないが、前記吐出桟１２の一部を、図３に示す前記ガイド部１７とは逆に、後部を下方に傾斜させたガイド部１７として形成してもよく、これによって、図４に基づいて上述した実施例２の場合と同様に、前記導入口１６から導入される外気は、前記ガイド部１７により前記ヒートシンク９に向けて効率よく導かれるようになって、同ヒートシンク９を効果的に放熱できるようになり、また、前記導入口１６から内部が見えてしまわないように視線を遮れるようになる。
【実施例３】
【００２６】
また、実施例３として図５に示すように、前記ヒートシンク９が前記導入口１６に対し横方向に位置ずれした状態で設けられた場合には、前記導入口１６の背面側部に、前記ガイド部１７の先端を横方向に傾斜させるように立設した構成にしてもよい。
【００２７】
これにより、図５に示す矢印ｂの示すように、前記ガイド部１７によって前記導入口１６から導入された外気が前記ヒートシンク９に向けて効率よく導かれるようになって、同ヒートシンク９を効果的に放熱できるようになり、また、前記導入口１６から内部が見えてしまわないように、前記ガイド部１７によって視線を遮れるようになる。
【００２８】
なお、前記ガイド部１７は、何れの実施例の場合も前記前面パネル１４ｂに一体成形することで、同前面パネル１４ｂに対し容易に突設できるようになっている。
【図面の簡単な説明】
【００２９】
【図１】本発明による空気調和機の室外機の分解斜視図である。
【図２】本発明による空気調和機の室外機の実施例１の第一例を示す説明図で、（Ａ）は横断面図であり、（Ｂ）は（Ａ）で示すＡ−Ａ断面図である。
【図３】本発明による空気調和機の室外機の実施例１の第二例を示すＡ−Ａ断面図である。
【図４】本発明による空気調和機の室外機の実施例２を示す要部断面図である。
【図５】本発明による空気調和機の室外機の実施例３を示す要部断面図である。
【図６】従来例による空気調和機の室外機の斜視図である。
【図７】従来例による空気調和機の室外機の分解斜視図である。
【図８】従来例による空気調和機の室外機の要部説明図である。
【符号の説明】
【００３０】
１  底板
２  仕切板
３  圧縮機
４  圧縮機室
５  熱交換器
６  送風ファン
７  熱交換器室
８  電装品箱
９  ヒートシンク
１０  吸込部
１１  ベルマウス
１２  吐出桟
１３  吐出グリル
１４  外胴
１４ａ  背面パネル
１４ｂ  前面パネル
１４ｃ  上面パネル
１５  導入部
１６  導入口
１７  ガイド部
【図１】
2008134008.tif 000003
【図２】
2008134008.tif 000004
【図３】
2008134008.tif 000005
【図４】
2008134008.tif 000006
【図５】
2008134008.tif 000007
【図６】
2008134008.tif 000008
【図７】
2008134008.tif 000009
【図８】
2008134008.tif 000010